(57)【要約】【課題】  規格についての適合性を考慮した製品設計を支援するための製品設計支援サーバ等を提供する。【解決手段】  設計支援サーバ３は、製品の種別及び販売地域の情報と規格情報を関連付けて記憶するＤＢと、規格情報と試験情報を関連付けて記憶するＤＢと、を備える。設計支援サーバ３は、設計対象の製品の種別及び販売地域の情報を含む基本情報を設計担当者端末１から受信し、その基本情報に対応する規格情報をＤＢから読み出し、その規格情報に対応する試験情報をＤＢから読み出し、読み出した規格情報と試験情報を設計担当者端末１に送信する。設計支援サーバ３は、読み出した試験情報が示す試験について、実測値データを設計担当者端末１から受信し、読み出した試験情報に含まれる合格基準データと比較して、実測値データが合格基準を満たすかを判定し、判定結果を設計担当者端末１に送信する。【選択図】  図１
2005071230.tif 000002
【特許請求の範囲】
【請求項１】
製品の種別及び販売地域の情報と、規格情報と、を関連付けて記憶する第１の記憶手段と、
規格情報と、規格の認可取得のための試験に関する試験情報と、を関連付けて記憶する第２の記憶手段と、
設計対象の製品の種別及び販売地域の情報を含む基本情報を端末から受信する手段と、
前記受信した基本情報に対応する規格情報を前記第１の記憶手段から読み出す第１の読出手段と、
前記第１の読出手段により読み出された規格情報に対応する試験情報を前記第２の記憶手段から読み出す第２の読出手段と、
前記第１手段により読み出された規格情報と、前記第２の読出手段により読み出された試験情報と、を前記端末に送信する手段と、
前記第２の読出手段により読み出された試験情報が示す試験について、実測値データを前記端末から受信する手段と、
前記端末から受信した試験の実測値データを、前記第２の読出手段により読み出された試験情報に含まれる合格基準データと比較して、当該試験の実測値データが合格基準を満たすか否かを判定する判定手段と、
前記判定手段による判定結果を前記端末に送信する手段と、
を備えることを特徴とする製品設計支援サーバ。
【請求項２】
前記第１の読出手段により読み出された規格情報が示す全ての規格について、前記端末から受信した試験の実測値データが合格基準を満たすと判定された場合に、当該製品についての規格の認可取得依頼に関する情報の入力を前記端末に要求して受信する手段と、
前記受信した規格の認可取得依頼に関する認可取得依頼情報を認可取得用データベースに登録する手段と、
を備えることを特徴とする請求項１に記載の製品設計支援サーバ。
【請求項３】
前記認可取得依頼情報は製品設計担当者の情報と関連付けられており、
前記認可取得用データベースに登録されている認可取得依頼情報に対して、規格の認可が取得された旨の認可取得情報が登録された場合、当該認可取得依頼情報に関連付けられている製品設計担当者の情報を取得し、当該製品設計担当者に通知する処理を行う手段をさらに備える、
ことを特徴とする請求項１又は２に記載の製品設計支援サーバ。
【請求項４】
コンピュータを用いて製品の設計支援を行うための製品設計支援方法であって、
設計対象の製品の種別及び販売地域の情報を含む基本情報を設計担当者端末から受信する受信ステップと、
設計対象の製品の種別及び販売地域の情報と、規格情報と、を関連付けて記憶する第１のデータベースから、前記受信ステップにより受信された基本情報に対応する規格情報を読み出す第１の読出ステップと、
規格情報と、規格の認可取得のための試験に関する試験情報と、を関連付けて記憶する第２のデータベースから、前記第１の読出ステップにより読み出された規格情報に対応する試験情報を読み出す第２の読出ステップと、
前記第１の読出ステップにより読み出された規格情報と、前記第２の読出ステップにより読み出された試験情報と、を前記設計担当者端末に送信するステップと、
前記第２の読出手段により読み出された試験情報が示す試験について、実測値データを前記設計担当者端末から受信するステップと、
前記設計担当者端末から受信した試験の実測値データを、前記第２の読出ステップにより読み出された試験情報に含まれる合格基準データと比較して、当該試験の実測値データが合格基準を満たすか否かを判定する判定ステップと、
前記判定ステップによる判定結果を前記設計担当者端末に送信するステップと、
を備えることを特徴とする製品設計支援方法。
【請求項５】
コンピュータに、
設計対象の製品の種別及び販売地域の情報を含む基本情報を設計担当者端末から受信する受信ステップ、
設計対象の製品の種別及び販売地域の情報と、規格情報と、を関連付けて記憶する第１のデータベースから、前記受信ステップにより受信された基本情報に対応する規格情報を読み出す第１の読出ステップ、
規格情報と、規格の認可取得のための試験に関する試験情報と、を関連付けて記憶する第２のデータベースから、前記第１の読出ステップにより読み出された規格情報に対応する試験情報を読み出す第２の読出ステップ、
前記第１の読出ステップにより読み出された規格情報と、前記第２の読出ステップにより読み出された試験情報と、を前記設計担当者端末に送信するステップ、
前記第２の読出手段により読み出された試験情報が示す試験について、実測値データを前記設計担当者端末から受信するステップ、
前記設計担当者端末から受信した試験の実測値データを、前記第２の読出ステップにより読み出された試験情報に含まれる合格基準データと比較して、当該試験の実測値データが合格基準を満たすか否かを判定する判定ステップ、
前記判定ステップによる判定結果を前記設計担当者端末に送信するステップ、
を実行させるためのプログラム。
【発明の詳細な説明】
【技術分野】
【０００１】
この発明は、製品開発業務において規格に適合した製品設計業務及び規格の認可取得業務を支援するためのシステムに関する。
【背景技術】
【０００２】
近年、製品に対する安全性評価基準の強化が市場において求められる傾向にある。
メーカ等では、開発製品について必要な規格を特定し、その規格に適合するような製品を製造し、各規格の認証機関等から認可を取得していた。
【０００３】
また、例えば、製品の設計・製造に関する組立作業指導書等を自動的に作成等することができる設計製造作業支援システムもある（特許文献１参照）。
【特許文献１】特開２００３−６７４４９号公報（第４頁、第２図）
【発明の開示】
【発明が解決しようとする課題】
【０００４】
従来では、製品の設計が完了した後にその製品が規格に適合するか否かをチェックするのが一般的であるが、この場合、規格に適合しない部分については再設計を行う必要が生じ、この場合、全体に大幅な再設計が必要となることもある。このため、製品を開発する際には、開発の初期段階で必要な規格について製品が適合するように設計を行うことがコスト面や作業効率上、重要である。
しかし、製品の多機能化が進む現在において、製品に適用される規格も複合的になってきており、多種多様に存在する規格の中から、設計担当者が設計対象の製品に関し必要な規格を抽出するためには専門的な知識も必要とされ、非常に困難で煩雑な作業であった。
また、各規格について認証を受ける際には、所定の認証機関に対して申請書類を提出し、その機関による認可を取得する必要があるが、多種多様に存在する規格の中から、認可を取得したい規格についての申請書類の必要記載事項を調べて書類を作成する作業は非常に煩雑であった。
【０００５】
本発明は、上記実状に鑑みてなされたものであり、規格についての適合性を考慮した製品設計を支援するための製品設計支援サーバ等を提供することを目的とする。
また、本発明は、設計された製品について規格の認可取得業務を支援するための製品設計支援サーバ等を提供することを他の目的とする。
【課題を解決するための手段】
【０００６】
上記目的を達成するため、この発明の第１の観点に係る製品設計支援サーバは、
製品の種別及び販売地域の情報と、規格情報と、を関連付けて記憶する第１の記憶手段と、
規格情報と、規格の認可取得のための試験に関する試験情報と、を関連付けて記憶する第２の記憶手段と、
設計対象の製品の種別及び販売地域の情報を含む基本情報を端末から受信する手段と、
前記受信した基本情報に対応する規格情報を前記第１の記憶手段から読み出す第１の読出手段と、
前記第１の読出手段により読み出された規格情報に対応する試験情報を前記第２の記憶手段から読み出す第２の読出手段と、
前記第１手段により読み出された規格情報と、前記第２の読出手段により読み出された試験情報と、を前記端末に送信する手段と、
前記第２の読出手段により読み出された試験情報が示す試験について、実測値データを前記端末から受信する手段と、
前記端末から受信した試験の実測値データを、前記第２の読出手段により読み出された試験情報に含まれる合格基準データと比較して、当該試験の実測値データが合格基準を満たすか否かを判定する判定手段と、
前記判定結果を前記端末に送信する手段と、
を備えることを特徴とする。
【０００７】
このような構成によれば、製品の販売地域や製品種別等の基本情報に基づいて開発対象の製品に合った規格情報を設計担当者の端末等に提示することができる。また、提示した規格について認可を受けるために必要な試験に関する情報を設計担当者の端末等に提供するため、設計担当者は規格の認可取得に必要な試験に関する情報を容易に知ることができる。また、試験の実測値データを入力させ、実測値データが規格の合格基準を満たすかを判定し、判定結果を供給するため、設計担当者は、製品の仕様が規格に適合しているかを容易に知ることができる。
【０００８】
前記第１の読出手段により読み出された規格情報が示す全ての規格について、前記端末から受信した試験の実測値データが合格基準を満たすと判定された場合に、当該製品についての規格の認可取得依頼に関する情報の入力を前記端末に要求して受信する手段と、
前記受信した規格の認可取得依頼に関する認可取得依頼情報を認可取得用データベースに登録する手段と、
を備えてもよい。
【０００９】
前記認可取得依頼情報は製品設計担当者の情報と関連付けられていてもよく、
前記認可取得用データベースに登録されている認可取得依頼情報に対して、規格の認可が取得された旨の認可取得情報が登録された場合、当該認可取得依頼情報に関連付けられている製品設計担当者の情報を取得し、当該製品設計担当者に通知する処理を行う手段をさらに備えてもよい。
【００１０】
また、この発明の第２の観点に係る製品設計支援方法は、
設計対象の製品の種別及び販売地域の情報を含む基本情報を設計担当者端末から受信する受信ステップと、
設計対象の製品の種別及び販売地域の情報と、規格情報と、を関連付けて記憶する第１のデータベースから、前記受信ステップにより受信された基本情報に対応する規格情報を読み出す第１の読出ステップと、
規格情報と、規格の認可取得のための試験に関する試験情報と、を関連付けて記憶する第２のデータベースから、前記第１の読出ステップにより読み出された規格情報に対応する試験情報を読み出す第２の読出ステップと、
前記第１の読出ステップにより読み出された規格情報と、前記第２の読出ステップにより読み出された試験情報と、を前記設計担当者端末に送信するステップと、
前記第２の読出手段により読み出された試験情報が示す試験について、実測値データを前記設計担当者端末から受信するステップと、
前記設計担当者端末から受信した試験の実測値データを、前記第２の読出ステップにより読み出された試験情報に含まれる合格基準データと比較して、当該試験の実測値データが合格基準を満たすか否かを判定する判定ステップと、
前記判定ステップによる判定結果を前記設計担当者端末に送信するステップと、
を備えることを特徴とする。
【００１１】
また、この発明の第３の観点に係るプログラムは、
設計対象の製品の種別及び販売地域の情報を含む基本情報を設計担当者端末から受信する受信ステップ、
設計対象の製品の種別及び販売地域の情報と、規格情報と、を関連付けて記憶する第１のデータベースから、前記受信ステップにより受信された基本情報に対応する規格情報を読み出す第１の読出ステップ、
規格情報と、規格の認可取得のための試験に関する試験情報と、を関連付けて記憶する第２のデータベースから、前記第１の読出ステップにより読み出された規格情報に対応する試験情報を読み出す第２の読出ステップ、
前記第１の読出ステップにより読み出された規格情報と、前記第２の読出ステップにより読み出された試験情報と、を前記設計担当者端末に送信するステップ、
前記第２の読出手段により読み出された試験情報が示す試験について、実測値データを前記設計担当者端末から受信するステップ、
前記設計担当者端末から受信した試験の実測値データを、前記第２の読出ステップにより読み出された試験情報に含まれる合格基準データと比較して、当該試験の実測値データが合格基準を満たすか否かを判定する判定ステップ、
前記判定ステップによる判定結果を前記設計担当者端末に送信するステップ、
を実行させる。
【発明の効果】
【００１２】
本発明によれば、規格についての適合性を考慮した製品設計を支援することができる。
【発明を実施するための最良の形態】
【００１３】
以下、本発明の実施の形態に係る製品設計支援システムを図面を参照して説明する。
本発明の実施形態に係る製品設計支援システムの構成図を図１に示す。この製品設計支援システムは、設計担当者端末１と、認可取得担当者端末２と、設計支援サーバ３と、を備え、これらはネットワーク１０に接続されている。なお、ネットワーク１０は、インターネット、ＬＡＮ、ＷＡＮ、公衆回線、専用線等の種々のネットワークを含む。
【００１４】
設計担当者端末１は、例えば、製品の設計担当者により操作される端末であり、制御部、記憶部、表示部、入力部、通信制御部等を備えるコンピュータから構成される。設計担当者端末１の制御部は、例えば、記憶部に予め記憶された動作プログラム等を読み出して実行することにより、ネットワーク１０を介して設計支援サーバ３に接続し、設計対象の製品について必要な規格の情報等を取得して出力する処理、製品の仕様が規格に適合するかについての確認結果を取得して出力する処理等を行う。
【００１５】
認可取得担当者端末２は、例えば、各種規格の認可取得担当者により操作される端末であり、制御部、記憶部、表示部、入力部、通信制御部等を備えるコンピュータから構成される。認可取得担当者端末２の制御部は、記憶部に予め記憶された動作プログラム等を読み出して実行することにより、ネットワーク１０を介して設計支援サーバ３に接続し、設計支援サーバ３に登録された認可取得依頼を取得して出力する処理、認可取得結果を設計支援サーバ３に登録する処理等を行う。
【００１６】
設計支援サーバ３は、例えば図２に示すように、記憶部３１、制御部３２、通信制御部３３等を備えるコンピュータから構成される。
【００１７】
記憶部３１は、例えば、ハードディスク装置等から構成される。記憶部３１は、制御部３２が実行するための動作プログラム及び処理に必要な各種データを記憶する。また、記憶部３１は、規格情報ＤＢ３１Ａ、規格試験情報ＤＢ３１Ｂ、認可取得申請ＤＢ３１Ｃを備える。
規格情報３１Ａは、例えば、安全規格、ＥＭＣ（電磁両立性）規格、通信規格、レーザ規格等の各種規格について、販売地域毎、製品種別毎にそれぞれ対応する規格の規格コード、規格ナンバ、規格名等（以下、規格情報）が設定されている規格テーブルを記憶する。規格情報３１Ａに記憶される規格テーブルのうち、安全規格の規格テーブルの一例を図３に、ＥＭＣ規格の規格テーブルの一例を図４に示す。
規格試験情報３１Ｂは、各規格情報毎に、その規格に必要な試験に関する所定事項（試験項目、試験詳細内容、合格基準等）を示す規格試験情報を記憶する。
認可取得申請ＤＢ３１Ｃは、設計担当者等が規格の認可取得を認可取得担当者に依頼するための認可取得依頼情報を記憶する。
【００１８】
制御部３２は、ＣＰＵ（Central Processing Unit）、ＲＯＭ（Read Only Memory）、ＲＡＭ（Random Access Memory）等から構成され、設計支援サーバ３全体を制御する。制御部３２は、記憶部３１に予め記憶された動作プログラム等を読み出して実行することにより、規格情報提供部３２１、規格適合性確認部３２２、認可取得依頼登録部３２３、認可取得処理部３２４等を論理的に実現する。
【００１９】
規格情報提供部３２１は、設計担当者端末１からの所定要求（基本情報入力要求）に応じて、例えば図５に示すような、設計担当者（作成者）、製品種別、販売地域、電源入力、レーザ機構の有無、通信機能の有無、等の所定の入力項目を有する入力画面（基本情報入力画面）を生成して送信する。そして、基本情報入力画面への入力データ（基本情報）とともに所定要求（規格情報提供要求）を受信すると、受信した基本情報における所定情報（販売地域、製品種別等）に対応する規格情報を規格情報ＤＢ３１Ａにおける各規格テーブルについて読み出し、また、その規格情報に対応する規格試験情報を規格試験情報ＤＢ３１Ｂから読み出す。なお、例えば、通信規格については、受信した基本情報において通信機能が「有」と設定されている場合に、通信規格の規格テーブル（図示せず）から、基本情報における所定情報（販売地域、製品種別等）に対応する規格情報を読み出す。レーザ規格についても同様であり、受信した基本情報にレーザ機構が「有」と設定されている場合に、レーザ規格の規格テーブル（図示せず）から、基本情報における所定情報（販売地域、製品種別等）に対応する規格情報を読み出す。
【００２０】
次に、規格情報提供部３２１は、受信した基本情報の一部（基本仕様）と、規格情報ＤＢ３１Ａから読み出した各規格情報及び規格試験情報ＤＢ３１Ｂ各規格情報に対応する規格試験情報と、を表示する表示画面（規格情報表示画面）を生成し、設計担当者端末１に送信する。規格情報表示画面の一例を図６に示す。また、規格情報提供部３２１は、例えば基本情報の受信に応答して受付ＩＤを生成し、生成した受付ＩＤと、基本情報と、基本情報に基づいて規格情報ＤＢ３１Ａと規格試験情報ＤＢ３１Ｂから読み出した各規格情報及び各規格情報に対応する規格試験情報と、を関連付けて記憶部３１に記憶する。また、例えば、受付ＩＤの生成後において設計担当者端末１との間でやり取りされる送受信データにその受付ＩＤを付与してもよい。
【００２１】
規格適合性確認部３２２は、例えば規格情報表示画面（図６参照）における所定ボタンの押下に応じて設計担当者端末１から送信される所定要求（詳細仕様入力要求）を受信すると、先に入力された基本情報の一部（基本仕様）と設計担当者の情報を表示するとともに、例えば、ブランド名（生産者名）、モデル名、機種コード、電源定格、試験実測値データ（試験結果、実測値等）等の所定の入力項目を有する入力画面（詳細仕様入力画面）を生成して送信する。詳細仕様入力画面の一例を図７に示す。そして、詳細仕様入力画面への入力データ（詳細仕様情報）とともに所定要求（確認結果提供要求）を受信すると、例えば受信した要求に付与されている受付ＩＤをキーとして、規格試験情報ＤＢ３１Ｂから該当する規格試験情報を読み出し、受信した詳細仕様情報に含まれる試験実測値データの値を、規格試験情報における合格基準と比較して、合格基準を満たしているかを判定する。例えば、試験項目「キャパシタンス・ディスチャージ」（試験詳細内容：機器の外の電源を遮断した点で、ピーク値からピーク値の３７％に電圧が減衰する時間）について、合格基準として「１秒以下」と規格試験情報ＤＢ３１Ｂに記憶されており、受信した試験実測値データの「キャパシタンス・ディスチャージ」の値が「０．６５秒」である場合には、「１≧０．６５」であることから試験実測値データは合格基準を満たしていると判定される。
【００２２】
次に、規格適合性確認部３２２は、各試験についての判定結果に基づいて、規格の認可取得に必要な全試験について試験実測値データが合格基準を満たしているかを各規格について判定し、判定結果を各規格の適合性の確認結果として表示する表示画面（適合性確認結果画面）を生成し、設計担当者端末１に送信する。適合性確認結果画面の一例を図８に示す。また、適合性確認結果画面では、各規格における各試験の判定結果も表示する。また、適合性確認結果画面の生成において、全規格について試験実測値データが全て合格基準を満たす場合には、認可の取得を依頼するためのボタン（認可取得依頼ボタン）を画面に含むよう生成する。また、合格基準を満たさない試験実測値データが有る場合には、終了ボタン等を画面に含むように生成してもよい。
また、規格適合性確認部３２２は、設計担当者端末１から受信した詳細仕様入力画面への入力データ（詳細仕様情報）と、各試験の判定結果、各規格の適合性確認結果等の情報を、設計担当者端末１との送受信データに付されている受付ＩＤと関連付けて記憶部３１に記憶する。
【００２３】
認可取得依頼登録部３２３は、適合性確認結果画面（図８参照）の認可取得依頼ボタンが押下されることに応じて設計担当者端末１から発信される要求（認可取得依頼入力要求）を受信すると、先に入力された基本情報の一部（基本仕様）等を表示するとともに、例えば、認可取得希望日、文書ナンバ、依頼区（依頼部署）、取得規格（認可取得依頼対象の規格）、技術資料等の入力項目を有する入力画面（認可取得依頼入力画面）を生成して送信する。認可取得依頼入力画面の一例を図９に示す。なお、技術資料の入力は、各種データを直接入力するようにしてもよく、また、技術資料が格納されたデータファイルのファイル名を入力し、データファイルを入力画面への入力データに添付して送信するようにしてもよい。そして、認可取得依頼入力画面への入力データとともに所定要求（認可取得依頼登録要求）を受信すると、認可取得依頼登録部３２３は、受信したデータ（認可取得依頼情報）を設計担当者端末１との送受信データに付されている受付ＩＤと関連付けて認可取得申請ＤＢ３１Ｃに記憶する。
【００２４】
認可取得処理部３２４は、認可取得担当者端末２からの所定要求（認可取得依頼情報要求）に応じて、例えば、認可取得申請ＤＢ３１Ｃに登録されている認可取得依頼情報を読み出してその一覧等を表示し、認可取得依頼情報の選択入力を受け付ける画面を生成して送信し、これに対する入力データを受信する。そして、受信データに基づいて、選択された認可取得依頼情報を認可取得申請ＤＢ３１Ｃから読み出し、読み出した認可取得依頼情報を設計担当者端末１に送信する。
【００２５】
また、認可取得処理部３２４は、認可取得担当者端末２からの所定要求（認可取得結果入力要求）に応じて、例えば、認可取得申請ＤＢ３１Ｃに登録されている認可取得依頼情報の一覧等を表示し、処理対象の認可取得依頼情報の選択入力を受け付ける画面を生成して送信し、これに対する入力データを受信する。そして、例えば、先に選択された認可取得依頼情報に関連付けられた受付ＩＤをキーとして、規格情報ＤＢ３１Ａにおいて該当する詳細仕様情報から取得したブランド名、モデル名、機種コード等の各種情報を表示するとともに、担当者（認可統括者）、完了日（例えば、全規格の認可取得が完了した日等）、文書ナンバ、取得規格情報（各規格についての認可ナンバ、認可取得日、認可取得担当者等）の認可取得に関する入力項目を有する入力画面（認可取得結果入力画面）を生成して認可取得担当者端末２に送信する。認可取得結果入力画面の一例を図１０に示す。そして、認可取得結果入力画面への入力データ（認可取得結果情報）とともに所定要求（認可取得結果登録要求）を認可取得担当者端末２から受信すると、受信した認可取得結果情報を、先に選択された認可取得依頼情報に関連付けられている受付ＩＤに関連付けて認可取得申請ＤＢ３１Ｃに記憶する。また、例えばその受付ＩＤをキーとして、規格情報ＤＢ３１Ａにおける基本情報を検索し、該当する基本情報に設定されている設計担当者に対して規格の認可が取得されたことを通知する処理を行う。この通知処理の内容は任意であり、例えば、記憶部３１に登録されている設計担当者のメールアドレス宛に規格の認可が取得された旨の電子メールを送信してもよく、また、設計担当者が設計支援サーバ３にアクセスした際に、規格の認可が取得された表示を行うようにしてもよい。また、所定の処理メニューから「認可取得状況の確認」等が選択された場合に、認可が取得された件の認可取得依頼情報の一部又は全部の一覧等を表示してもよい。
【００２６】
通信制御部３３は、ネットワーク１０を介して他のコンピュータ装置との間でデータ通信を行うためのものである。
【００２７】
次に、本実施形態に係る製品設計支援システムにおいて、設計支援サーバ３がが、設計対象の製品の規格情報を設計担当者端末１に提供し、規格適合性の確認を行い、適合性を確認した後に認可取得依頼を所定のＤＢに登録する処理（規格適合性確認処理）について図１１のフローチャートを参照して説明する。
【００２８】
例えば、設計担当者の入力操作に応じて、設計担当者端末１が設計支援サーバ３にアクセスし、設計支援サーバ３から供給される処理メニューから設計担当者が「規格適合性確認処理」を選択入力し、これに応じて、設計担当者端末１が基本情報入力要求を設計支援サーバ３に送信したとする。
設計支援サーバ３は、設計担当者端末１からの基本情報入力要求を受信すると（ステップＳ１）、基本情報入力画面（図５参照）を生成して設計担当者端末１に送信する（ステップＳ２）。設計担当者端末１は、設計支援サーバ３から基本情報入力画面のデータを受信して表示し、設計担当者による入力を受け付け、画面上の所定のボタンの押下に応答して、基本情報入力画面への入力データと規格情報提供要求を設計支援サーバ３に送信する。
【００２９】
設計支援サーバ３は、設計担当者端末１からの入力データ（基本情報）と規格情報提供要求を受信すると（ステップＳ３）、受信した基本情報に対応する規格情報と、その規格情報に対応する規格試験情報を規格情報ＤＢ３１Ａと規格試験情報ＤＢ３１Ｂから読み出す（ステップＳ４）。そして、読み出した規格情報及び規格試験情報を表示する規格情報表示画面（図６参照）を生成して、設計担当者端末１に送信する（ステップＳ５）。設計担当者端末１は、設計支援サーバ３から規格情報表示画面のデータを受信して表示し、画面上の所定ボタンの押下に応答して、詳細仕様入力要求を設計支援サーバ３に送信する。
【００３０】
設計支援サーバ３は、設計担当者端末１からの詳細仕様入力要求を受信すると（ステップＳ６）、詳細仕様入力画面（図７参照）を生成し、設計担当者端末１に送信する（ステップＳ７）。設計担当者端末１は、設計支援サーバ３から詳細仕様入力画面のデータを受信して表示し、設計担当者による入力を受け付け、画面上の所定のボタンの押下に応答して、詳細仕様入力画面への入力データと確認結果提供要求を設計支援サーバ３に送信する。
【００３１】
設計支援サーバ３は、設計担当者端末１からの入力データ（詳細仕様情報）と結果確認要求を受信すると（ステップＳ８）、受信した詳細仕様情報における試験実測値データが、規格試験情報における合格基準と比較して、合格基準を満たしているかを判定する処理を各規格について行う（ステップＳ９）。そして、全ての規格について全試験実測値データが合格基準を満たすか、即ち、製品の仕様が全規格に適合するかを判定し、全規格に適合する場合には（ステップＳ１０：ＹＥＳ）、その旨を表示する適合性確認結果画面（図８参照）を生成して設計担当者端末１に送信する（ステップＳ１１）。設計担当者端末１は、受信した適合性確認結果画面を表示し、画面上の認可取得登録依頼ボタンの押下に応答して、認可取得依頼入力要求を設計支援サーバ３に送信する。
【００３２】
設計支援サーバ３は、設計担当者端末１からの認可取得依頼入力要求を受信すると（ステップＳ１２）、認可取得依頼入力画面（図９参照）を生成して設計担当者端末１に送信する（ステップＳ１３）。設計担当者端末１は、設計支援サーバ３から認可取得依頼入力画面のデータを受信して表示し、設計担当者による入力を受け付け、画面上の所定のボタンの押下に応答して、認可取得依頼入力画面への入力データと認可取得依頼登録要求を設計支援サーバ３に送信する。
設計支援サーバ３は、設計担当者端末１からの入力データ（認可取得依頼情報）と認可取得依頼登録要求を受信すると（ステップＳ１４）、受信した認可取得依頼情報を認可取得申請ＤＢ３１Ｃに登録する（ステップＳ１５）。
【００３３】
また、設計支援サーバ３は、いずれかの規格について合格基準を満たさない試験実測値データがある場合、即ち、適合しない規格がある場合（ステップＳ１０：ＮＯ）、その旨を表示する適合性確認結果画面を生成して設計担当者端末１に送信する（ステップＳ１６）。設計担当者端末１は、受信した適合性確認結果画面を表示し、例えば、画面上の終了ボタン等の押下に応答してその旨を設計支援サーバ３に送信し、設計支援サーバ３から終了画面等を受信して表示する。
【００３４】
上記処理により、規格の認可取得を依頼するための認可取得依頼情報が認可取得申請ＤＢ３１Ｃに登録される。認可取得申請ＤＢ３１Ｃに登録された認可取得依頼情報は、認可取得担当者端末２により取得され出力される。認可取得担当者端末２に出力された認可取得依頼情報に基づいて認可取得担当者は規格の認可を取得するための所定の手続きを行い、認可を取得した後に、認可取得担当者端末２を用いて、認可取得結果情報を認可取得申請ＤＢ３１Ｃに登録する。この登録に応答して、設計支援サーバ３は、規格の認可取得を依頼した担当者に対して認可が取得された旨を通知する処理を行う。
【００３５】
以上説明したように、本発明により、製品の販売地域や製品種別等の基本情報に基づいて、開発対象の製品に合った規格情報を設計担当者端末１に提供することができる。また、規格について認可を受けるために必要な試験に関する情報を設計担当者端末１に提供するため、設計担当者は規格の認可取得に必要な試験の情報（試験項目、試験内容、合格基準等）を容易に知ることができる。また、試験実測値データを入力させ、試験実測値データが規格の合格基準を満たすかを判定することにより製品の仕様が規格に適合しているかを判定し、判定結果を設計担当者端末１に供給するため、設計担当者は、取得対象の規格に製品の仕様が適合しているかを知ることができる。また、規格に製品の仕様が適合することが確認された場合には、認可取得依頼情報のＤＢへの登録を一連の処理として行うことができるため認可取得に関する作業効率が向上する。また、認可が取得された旨の情報が登録された場合には、それを担当者にフィードバックすることができるため認可取得に関する作業効率が向上する。
【００３６】
この発明は上記実施の形態に限定されず、種々の変形及び応用が可能である。
例えば、上記説明では、設計支援サーバ３が入力された製品仕様に対応する規格を抽出し、その規格について適合性の確認を行うようにしているが、規格を設計担当者に選択させるようにしてもよい。具体的には、例えば、規格情報表示画面において、設計担当者が規格を選択できるようにしてもよく、この場合、規格情報提供部３２１は、例えば各規格の規格情報とともにその規格を選択するためのボタンやチェックボックス等、又は、規格情報（規格コード、規格番号等）を直接入力させる入力欄等を備え、設計担当者が選択した規格についての入力を受け付ける規格情報表示画面を生成して設計担当者端末１にしてもよい。そして、この規格情報表示画面の所定ボタンを押下することにより、選択された規格の規格情報と詳細仕様入力要求が設計担当者端末１から設計支援サーバ３に送信されるようにしてもよい。そして、設計支援サーバ３は、選択された規格についての試験実測値データの入力欄を受け付ける詳細仕様入力画面を生成して設計担当者端末１に送信してもよい。
【００３７】
また、規格の認可取得結果を認可取得担当者端末２から入力するときに、認可証のデータも併せて登録するようにしてもよい。そして、認可取得の通知を受けた設計担当者が設計担当者端末１から設計支援サーバ３にアクセスし、登録された認可証のデータを取得して出力するようにしてもよい。
【００３８】
また、上記説明では、全規格の試験実測値データが全て合格基準を満たす場合に、設計支援サーバ３が、認可取得依頼情報を認可取得申請ＤＢ３１Ｃに登録するためのボタンを備える適合性確認結果画面を設計担当者端末１に送信し、このボタンの押下に応じて、認可取得依頼情報を認可取得申請ＤＢ３１Ｃに登録するための処理を行うようにしているが、これに限定されず、全規格の試験実測値データが全て合格基準を満たすと判定した場合に、設計支援サーバ３が自動的に、認可取得依頼情報を認可取得申請ＤＢ３１Ｃに登録するための処理を行うようにしてもよい。また、全規格の試験実測値データが全て合格基準を満たすと判定した場合に、認可取得依頼情報を認可取得申請ＤＢ３１Ｃに登録するか否かについての入力要求を設計担当者端末１に送信して入力させ、入力内容に応じて、認可取得依頼情報を認可取得申請ＤＢ３１Ｃに登録するための処理を行うようにしてもよい。
【００３９】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、上述の処理を実行する、設計担当者端末１、認可取得担当者端末２、設計支援サーバ３等を構成してもよい。また、インターネット等のネットワーク１０上のサーバ装置が有するディスク装置に格納しておき、例えばコンピュータにダウンロード等するようにしてもよい。
また、上述の機能を、ＯＳが分担又はＯＳとアプリケーションの共同より実現する場合等には、ＯＳ以外の部分のみを媒体に格納して配布してもよく、また、コンピュータにダウンロード等してもよい。
【図面の簡単な説明】
【００４０】
【図１】本発明の実施形態に係る製品設計支援システムの構成を示す図である。
【図２】図１の製品設計支援システムで使用される設計支援サーバの構成を示す図である。
【図３】安全規格の規格テーブルの一例を示す図である。
【図４】ＥＭＣ規格の規格テーブルの一例を示す図である。
【図５】基本情報入力画面の一例を示す図である。
【図６】規格情報表示画面の一例を示す図である。
【図７】詳細仕様入力画面の一例を示す図である。
【図８】適合性確認結果画面の一例を示す図である。
【図９】認可取得依頼入力画面の一例を示す図である。
【図１０】認可取得結果入力画面の一例を示す図である。
【図１１】規格適合性確認処理を説明するためのフローチャートである。
【符号の説明】
【００４１】
１            設計担当者端末
２            認可取得担当者端末
３            設計支援サーバ
１０          ネットワーク
３１          記憶部
３１Ａ        規格情報ＤＢ
３１Ｂ        規格試験情報ＤＢ
３１Ｃ        認可取得申請ＤＢ
３２          制御部
３２１        規格情報提供部
３２２        規格適合性確認部
３２３        認可取得依頼登録部
３２４        認可取得処理部
３３          通信制御部
【図１】
2005071230.tif 000003
【図２】
2005071230.tif 000004
【図３】
2005071230.tif 000005
【図４】
2005071230.tif 000006
【図５】
2005071230.tif 000007
【図６】
2005071230.tif 000008
【図７】
2005071230.tif 000009
【図８】
2005071230.tif 000010
【図９】
2005071230.tif 000011
【図１０】
2005071230.tif 000012
【図１１】
2005071230.tif 000013